(57)【特許請求の範囲】
【請求項１】
利用者に対する発語ガイド文言を含む発語段階情報と前記発語段階情報を識別する発語識別情報とを関連付けて予め記録した発語識別記録部と、
利用者の思考高揚状態を表す高揚状態文言データと前記高揚状態文言データを識別する高揚識別情報とを関連付けて予め記録した高揚識別記録部と、
利用者の行動発現を表す行動発現文言データと前記行動発現文言データを識別する発現識別情報とを関連付けて予め記録した発現識別記録部と、
利用者から入力される発語記録情報と前記発語識別情報と前記高揚識別情報と前記発現識別情報とを関連付けて記録する発語記録部と、
利用者によって選択された発語識別情報に基づいて前記発語識別記録部から前記発語段階情報を読み出し、利用者によって選択された発現識別情報に基づいて前記発現識別記録部から前記行動発現文言データを読み出し、前記発語記録部に記録されている前記発現識別情報の種類数を全発現識別情報の種類数で除した値に基づいて前記高揚識別情報を選択し、選択された前記高揚識別情報に基づいて前記高揚識別記録部から前記高揚状態文言データを読み出し、読み出した発語段階情報と行動発現文言データと高揚状態文言データとを画面に表示する発語ガイド部と、
前記発語ガイド部によって表示された画面に応じて利用者から入力された発語記録情報と、利用者によって選択された前記発語識別情報および発現識別情報と、選択された高揚識別情報とを関連付けて前記発語記録部に書き込む発語記録書込部と、
を備えることを特徴とする発語支援装置。
【請求項２】
前記発語記録部に書き込まれた情報を手帳リフィル形式に整形して出力するリフィル作成部をさらに備えることを特徴とする請求項１に記載の発語支援装置。
【請求項３】
利用者に対する発語ガイド文言を含む発語段階情報と前記発語段階情報を識別する発語識別情報とを関連付けて予め記録した発語識別記録部と、利用者の思考高揚状態を表す高揚状態文言データと前記高揚状態文言データを識別する高揚識別情報とを関連付けて予め記録した高揚識別記録部と、利用者の行動発現を表す行動発現文言データと前記行動発現文言データを識別する発現識別情報とを関連付けて予め記録した発現識別記録部と、利用者から入力される発語記録情報と前記発語識別情報と前記高揚識別情報と前記発現識別情報とを関連付けて記録する発語記録部と、を備える発語支援装置が、利用者によって選択された発語識別情報に基づいて前記発語識別記録部から前記発語段階情報を読み出し、利用者によって選択された発現識別情報に基づいて前記発現識別記録部から前記行動発現文言データを読み出し、前記発語記録部に記録されている前記発現識別情報の種類数を全発現識別情報の種類数で除した値に基づいて前記高揚識別情報を選択し、選択された前記高揚識別情報に基づいて前記高揚識別記録部から前記高揚状態文言データを読み出し、読み出した発語段階情報と行動発現文言データと高揚状態文言データとを画面に表示する発語ガイド過程と、
前記発語支援装置が、前記発語ガイド過程において表示された画面に応じて利用者から入力された発語記録情報と、利用者によって選択された前記発語識別情報および発現識別情報と、選択された高揚識別情報とを関連付けて前記発語記録部に書き込む発語記録過程と、
を含むことを特徴とする発語支援方法。
【請求項４】
利用者に対する発語ガイド文言を含む発語段階情報と前記発語段階情報を識別する発語識別情報とを関連付けて予め記録した発語識別記録部と、利用者の思考高揚状態を表す高揚状態文言データと前記高揚状態文言データを識別する高揚識別情報とを関連付けて予め記録した高揚識別記録部と、利用者の行動発現を表す行動発現文言データと前記行動発現文言データを識別する発現識別情報とを関連付けて予め記録した発現識別記録部と、利用者から入力される発語記録情報と前記発語識別情報と前記高揚識別情報と前記発現識別情報とを関連付けて記録する発語記録部と、を備えるコンピュータに、
利用者によって選択された発語識別情報に基づいて前記発語識別記録部から前記発語段階情報を読み出し、利用者によって選択された発現識別情報に基づいて前記発現識別記録部から前記行動発現文言データを読み出し、前記発語記録部に記録されている前記発現識別情報の種類数を全発現識別情報の種類数で除した値に基づいて前記高揚識別情報を選択し、選択された前記高揚識別情報に基づいて前記高揚識別記録部から前記高揚状態文言データを読み出し、読み出した発語段階情報と行動発現文言データと高揚状態文言データとを画面に表示する発語ガイド過程と、
前記発語ガイド過程において表示された画面に応じて利用者から入力された発語記録情報と、利用者によって選択された前記発語識別情報および発現識別情報と、選択された高揚識別情報とを関連付けて前記発語記録部に書き込む発語記録過程と、
の処理を実行させるための発語支援プログラム。
【発明の詳細な説明】
【技術分野】
【０００１】
本発明は、コンピュータの応用により人の発語を支援することのできる発語支援装置に関する。
【背景技術】
【０００２】
単純な問題を数多く解いたり、音読を繰り返したりすることによって、脳が活性化し、脳のトレーニングになることが知られている。そしてこの知見は、初等教育のみならず、大人を対象とした脳鍛錬にも応用されている。
【０００３】
非特許文献１には、簡単なたし算・ひき算・かけ算で構成された問題を１００題ずつ解いていくように構成されたドリルが記載されている。脳科学の成果により、単純な問題をできるだけ速く解くことにより脳の多くの場所が活性化することが知られており、このドリルはそれを応用したものである。
非特許文献２には、音読と漢字書き取りで構成されたドリルが記載されている。脳科学の成果により、速いスピードで音読することにより脳の多くの場所が活性化することが知られており、このドリルはそれを応用したものである。
【非特許文献１】川島隆太、「脳を鍛える大人の計算ドリル  単純計算60日」、日本、くもん出版、２００３年１１月
【非特許文献２】川島隆太、「脳を鍛える大人の音読ドリル  名作音読・漢字書き取り60日」、日本、くもん出版、２００３年１１月
【発明の開示】
【発明が解決しようとする課題】
【０００４】
上記のような単純計算ドリルや単純音読を繰り返し実行すること脳を活性化し有用であることは知られているが、本発明はそのような脳科学の成果をさらに応用し、利用者に対する発語ガイドを適切に行なうとともに利用者が自己の発語経過を振り返り認識することが可能となるような、発語支援装置を提供することを目的とする。
【課題を解決するための手段】
【０００５】
［１］上記の課題を解決するため、本発明の一態様による発語支援装置は、利用者に対する発語ガイド文言を含む発語段階情報と前記発語段階情報を識別する発語識別情報とを関連付けて予め記録した発語識別記録部と、利用者の思考高揚状態を表す高揚状態文言データと前記高揚状態文言データを識別する高揚識別情報とを関連付けて予め記録した高揚識別記録部と、利用者の行動発現を表す行動発現文言データと前記行動発現文言データを識別する発現識別情報とを関連付けて予め記録した発現識別記録部と、利用者から入力される発語記録情報と前記発語識別情報と前記高揚識別情報と前記発現識別情報とを関連付けて記録する発語記録部と、利用者によって選択された発語識別情報に基づいて前記発語識別記録部から前記発語段階情報を読み出し、利用者によって選択された発現識別情報に基づいて前記発現識別記録部から前記行動発現文言データを読み出し、前記発語記録部に記録されている前記発現識別情報の種類数を全発現識別情報の種類数で除した値に基づいて前記高揚識別情報を選択し、選択された前記高揚識別情報に基づいて前記高揚識別記録部から前記高揚状態文言データを読み出し、読み出した発語段階情報と行動発現文言データと高揚状態文言データとを画面に表示する発語ガイド部と、前記発語ガイド部によって表示された画面に応じて利用者から入力された発語記録情報と、利用者によって選択された前記発語識別情報および発現識別情報と、選択された高揚識別情報とを関連付けて前記発語記録部に書き込む発語記録書込部と、を備えることを特徴とするものである。
なお、発語記録情報とは、当該発語が行なわれたシーン（例えば、「目覚め」、「着替え」など、生活におけるシーン）の情報と、発語段階情報の追記情報と、行動発現情報の追記情報と、発語内容の情報とを含む。また、本発明の一態様においては、ユーザインタフェースの制御により、所定の段階（例えば、「入門編・単純発語」）においては利用者に対してシーンの入力のみを許し、他の段階（例えば、「入門編・発現発語」や「上級編」）においては利用者に対してすべての種類の発語記録情報の入力を許す。
【０００６】
［２］また、本発明の一態様は、上記の発語支援装置において、前記発語記録部に書き込まれた情報を手帳リフィル形式に整形して出力するリフィル作成部をさらに備えることを特徴とするものである。
【０００８】
［３］また、本発明の一態様は、利用者に対する発語ガイド文言を含む発語段階情報と前記発語段階情報を識別する発語識別情報とを関連付けて予め記録した発語識別記録部と、利用者の思考高揚状態を表す高揚状態文言データと前記高揚状態文言データを識別する高揚識別情報とを関連付けて予め記録した高揚識別記録部と、利用者の行動発現を表す行動発現文言データと前記行動発現文言データを識別する発現識別情報とを関連付けて予め記録した発現識別記録部と、利用者から入力される発語記録情報と前記発語識別情報と前記高揚識別情報と前記発現識別情報とを関連付けて記録する発語記録部と、を備える発語支援装置が、利用者によって選択された発語識別情報に基づいて前記発語識別記録部から前記発語段階情報を読み出し、利用者によって選択された発現識別情報に基づいて前記発現識別記録部から前記行動発現文言データを読み出し、前記発語記録部に記録されている前記発現識別情報の種類数を全発現識別情報の種類数で除した値に基づいて前記高揚識別情報を選択し、選択された前記高揚識別情報に基づいて前記高揚識別記録部から前記高揚状態文言データを読み出し、読み出した発語段階情報と行動発現文言データと高揚状態文言データとを画面に表示する発語ガイド過程と、前記発語支援装置が、前記発語ガイド過程において表示された画面に応じて利用者から入力された発語記録情報と、利用者によって選択された前記発語識別情報および発現識別情報と、選択された高揚識別情報とを関連付けて前記発語記録部に書き込む発語記録過程と、を含むことを特徴とする発語支援方法である。
【０００９】
［４］また、本発明の一態様は、利用者に対する発語ガイド文言を含む発語段階情報と前記発語段階情報を識別する発語識別情報とを関連付けて予め記録した発語識別記録部と、利用者の思考高揚状態を表す高揚状態文言データと前記高揚状態文言データを識別する高揚識別情報とを関連付けて予め記録した高揚識別記録部と、利用者の行動発現を表す行動発現文言データと前記行動発現文言データを識別する発現識別情報とを関連付けて予め記録した発現識別記録部と、利用者から入力される発語記録情報と前記発語識別情報と前記高揚識別情報と前記発現識別情報とを関連付けて記録する発語記録部と、を備えるコンピュータに、利用者によって選択された発語識別情報に基づいて前記発語識別記録部から前記発語段階情報を読み出し、利用者によって選択された発現識別情報に基づいて前記発現識別記録部から前記行動発現文言データを読み出し、前記発語記録部に記録されている前記発現識別情報の種類数を全発現識別情報の種類数で除した値に基づいて前記高揚識別情報を選択し、選択された前記高揚識別情報に基づいて前記高揚識別記録部から前記高揚状態文言データを読み出し、読み出した発語段階情報と行動発現文言データと高揚状態文言データとを画面に表示する発語ガイド過程と、前記発語ガイド過程において表示された画面に応じて利用者から入力された発語記録情報と、利用者によって選択された前記発語識別情報および発現識別情報と、選択された高揚識別情報とを関連付けて前記発語記録部に書き込む発語記録過程と、の処理を実行させるための発語支援プログラムである。
【発明の効果】
【００１０】
本発明によれば、発語ガイド部は選択された発語識別情報に基づいて発語段階情報を画面に表示する。利用者が表示されたガイドに従って発語することにより、利用者の脳が活性化する。ここで、発語段階情報は予め適切に定められ発語識別記録部に記録されるものである。このような情報に沿って行なわれる発語は、利用者に「気付き」を与え、これが脳および心のトレーニングになる。また、発語記録書込部は、利用者から入力される発語記録情報を、発語識別情報、発現識別情報、高揚識別情報と関連付けて発語記録部に書き込むため、利用者がどのような状況で発語を行なったかという記録が保存できる。これにより、利用者は、この発語記録を参照し、振り返りながらトレーニングを進めることが可能となる。
また、本発明によれば、リフィル作成部が発語記録部に書き込まれた情報を手帳リフィル形式に整形して出力するため、利用者は出力されたリフィルを手帳に綴じて持ちあることが可能となる。つまり、発語支援装置が存在しない場所でも発語記録を参照することが可能となる。
また、本発明では、発語ガイド部が、発語記録部から読み出した前記発語記録情報に基づいて高揚識別情報を選択して画面に表示する。そして、発語記録書込部は、発語記録情報を発語記録部に書き込む際に、発語ガイド部によって選択された高揚識別情報と関連付ける。つまり、過去の発語記録に基づいて適切な高揚識別情報を自動的に選択し、この選択された高揚識別情報と関連付けて新たな発語記録を保存することが可能となる。つまり、利用者が意識しなくても、適切な高揚識別情報が自動的に選択される。
これらを通して、利用者は、本発明の発語支援装置を用いることにより、脳の活性化を通して効果的に脳および心のトレーニングを行なえる。
【発明を実施するための最良の形態】
【００１１】
＜第１の実施形態＞
以下、図面を参照しながら、本発明の実施形態について説明する。
図１は、本実施形態による発語支援装置のハードウェア構成を示すブロック図である。この発語支援装置は、コンピュータの技術を応用している。図１において、符号１は発語支援装置である。図示するように、発語支援装置１は、バス１０、ＣＰＵ（中央処理装置）１１、ＲＡＭ（読み書き可能な半導体ランダムアクセスメモリ）１２、ＲＯＭ（半導体リードオンリーメモリ）１３、入出力制御部１４および１５、磁気ハードディスク装置１６、ディスプレイ装置１７を含んで構成される。
【００１２】
ＣＰＵ・１１は、バス１０を介してＲＡＭ・１２、ＲＯＭ・１３、入出力制御部１４および１５と信号のやり取りを行なえる。ＣＰＵ・１１は、ＲＡＭ・１２からデータを読み出したりＲＡＭ・１２にデータを書き込んだりする。また、ＣＰＵ・１１は、ＲＯＭ・１３からデータを読み出す。また、ＣＰＵ・１１は、入出力制御部１４を介して、磁気ハードディスク装置１６からデータを読み出したり磁気ハードディスク装置１６にデータを書き込んだりする。また、ＣＰＵ・１１は、入出力制御部１５を介してディスプレイ装置１７に情報（文字や図形など）を表示することができる。また、この発語支援装置１は、図示しない入力手段（キーボードやタッチパネルやマウスなど）により、利用者が情報を入力できるように構成されている。
【００１３】
次に、発語支援装置１の機能構成について説明する。
図２は、発語支援装置１の概略機能構成を示すブロック図である。図２に示すように、発語支援装置１は、ユーザインタフェース部３１と、発語ガイド部３２と、入力受付部３３と、分析部３４と、リフィル作成部３５と、データベース書込部４１（発語記録書込部）とデータベース４２とを含んで構成される。
【００１４】
データベース４２は、複数のテーブルの形式で必要なデータを記憶する。このデータの詳細については後述する。ユーザインタフェース部３１は、ディスプレイ画面への表示や、キーボードからの入力や、タッチパネルからの入力や、マウスなどのポインティングデバイスからの入力をハンドリングする。発語ガイド部３２は、利用者によって選択される発語識別情報（発語ＩＤ、後述）に基づいて発語識別記録部（発語ＩＤテーブル、後述）から発語段階情報を読み出し、読み出した発語段階情報を画面に表示する。入力受付部３３は、利用者からの入力を受け付け、それに応じた動作を行なう。データベース書込部４１は、入力受付部３３が利用者から受け付けた内容に基づいて、必要なデータをデータベース４２に書き込む。分析部３４は、利用者に関するデータをデータベース４２から読み出して分析処理を行ない、その分析結果を、ユーザインタフェース部３１を通して出力する。リフィル作成部３５は、利用者に関するデータをデータベース４２から読み出し、このデータをリフィル形式に整形するとともに、ユーザインタフェース部３１を通してその整形結果を表示出力する。データベース書込部４１は、発語ガイド部３５によって表示された画面に応じて利用者から入力された発語記録の情報と、利用者によって選択された発語識別ＩＤおよび利用者によって選択された発現ＩＤおよび選択された高揚ＩＤとを関連付けて発語記録テーブルに書き込む。
また、リフィル作成部３５は、利用者の指示等に基づき、作成した整形結果を印刷出力する。各部のより詳細な動作については、後で画面表示の例を参照しながら詳述する。
【００１５】
なお、これら各部の機能の全部又は一部はコンピュータプログラムとして磁気ハードディスク装置１６（図１）に書き込んでおき、適宜、このプログラムが磁気ハードディスク装置１６から読み出され、ＲＡＭ・１２（図１）にロードされる。ＣＰＵ・１１（図１）は、内部のプログラムカウンタに従ってＲＡＭ・１２からプログラムを構成する命令を読み出し、実行する。また、データベース４２に記録されるデータは、物理的には磁気ハードディスク装置１６に書き込まれており、これをデータベース管理システム（ＤＢＭＳ）が管理する。
【００１６】
次に、図３〜図７を参照しながら、データベース４２に記憶されるデータについて説明する。データベース４２は、リレーショナル形式のデータベースであり、複数のテーブルを有している。これら複数のテーブルは、データの値により関連付けられている。
【００１７】
図３は、利用者プロファイルテーブルのデータ構造およびデータ例を示す概略図である。この利用者プロファイルテーブルは、利用者の識別情報および利用者の属性情報を格納しており、次のデータ項目を有する。即ち、利用者ＩＤ、ニックネーム、職業、年齢、男性、女性、コメントの各データ項目を有する。項目「利用者ＩＤ」は、利用者を識別する情報である。項目「男性」および「女性」は、性別を表わす情報であり、通常はいずれかが「ＴＲＵＥ」、他方が「ＦＡＬＳＥ」の値をとる。
【００１８】
図４は、発語ＩＤテーブル（発語識別記録部）のデータ構造およびデータ例を示す概略図である。この発語ＩＤテーブルは、発語ＩＤ（発語識別情報）、発語段階（発語段階情報）の各データ項目を有する。発語段階のデータは、利用者に対する発語ガイド文言を含む。発語ＩＤと発語段階とは対応付けられており、図４では例えば、発語ＩＤ「１」に対応する発語段階は、「朝、目を覚ました時、洗面の時、食事の時など何か行動する時に３０回繰り返して言うことが脳トレーニングです。１ヶ月ほど繰り返し言って下さい。」である。また、発語ＩＤ「２」に対応する発語段階は、「今まで何も考えずにやってたこと、また何となく当たり前だと思っていたことが『ありがとう』を毎日３０回繰り返し言うと『何がありがたいことなのか』を考える様になります。」である。また、発語ＩＤ「３」に対応する発語段階は、「感謝の気持ちを持ちなさいと言われても中々感謝の気持ちが湧いてこないものですが、『ありがとう』を３０回で感謝の気持ちが高揚して来ます。多くの人々や自然などによって
生かされている自分に気がつきます。自分が生きていく為の自覚が生まれて来ます。」である。
【００１９】
図５は、高揚ＩＤテーブル（高揚識別記録部）のデータ構造およびデータ例を示す概略図である。この高揚ＩＤテーブルは、高揚ＩＤ（高揚識別情報）、思考の高揚（利用者の思考高揚状態を表わす文言のデータ）、の各データ項目を有する。高揚ＩＤと思考の高揚とは対応付けられており、図５では例えば、高揚ＩＤが「１」のとき、対応する思考の高揚は「１）当たり前と思っていることに改めて『ありがとうございます！』と繰り返し言います。唯、感謝の気持を持っているだけでは、感謝の気持が無いのと同じです。『ありがとうございます！』と発語して自分の脳の働きを変えるのです。『ありがとうございます！』と繰り返し発語するから脳が感謝の気持を持つ様になるのです。」である。また、高揚ＩＤが「２」のとき、対応する思考の高揚は「２）改めて『もっと良くなるために素直に学びます！』と繰り返し言いましょう。唯、向上する気持を持っているだけでは、向上心が無いのと同じです。『もっと良くなるために素直に学びます！』と発語を繰り返して自分の脳をトレーニングするのです。脳をトレーニングするから、脳は、高揚する様になるのです。」である。また、高揚ＩＤが「３」のとき、対応する思考の高揚は「３）照れくさいのですが、改めて『あなたのここがすばらしい！』、『おかげさまで私は、ここまで出来ました！』と繰り返し言います。相手を素晴らしいと思っても素晴らしいと言わなければ相手にわかりません。『おかげさまで私は、ここまで出来ました！』と言わなければ、相手は、あなたのことを分かりません。相手を褒め、自分を褒め、脳トレをやって初めて人間関係とコミュニケーションが出来るのです。」である。
【００２０】
図６は、発現ＩＤテーブル（発現識別記録部）のデータ構造およびデータ例を示す概略図である。この発現ＩＤテーブルは、発現ＩＤ（発現識別情報）、行動発現（利用者の行動発現を表わす文言のデータ）、７育・対話、の各データ項目を有する。
図６に示すデータでは、発現ＩＤ「１」に対応する行動発現は「今まで当たり前と思っていることに対して」であり、対応する７育・対話は「美育」である。また、発現ＩＤ「２」に対応する行動発現は「家庭の中で、親や兄弟姉妹、或いは祖父母に対して」であり、対応する７育・対話は「家育」である。また、発現ＩＤ「３」に対応する行動発現は「学校で、先生や先輩、友人に対して」であり、対応する７育・対話は「徳育」である。また、発現ＩＤ「４」に対応する行動発現は「自分が健康であることに対して」であり、対応する７育・対話は「体育」である。また、発現ＩＤ「５」に対応する行動発現は「仕事等での収入があることに対して」であり、対応する７育・対話は「財育」である。また、発現ＩＤ「６」に対応する行動発現は「知らないことを素直に学べることに対して」であり、対応する７育・対話は「知育」である。また、発現ＩＤ「７」に対応する行動発現は「素直に感謝の気持で居られることに対して」であり、対応する７育・対話は「遊育」である。
【００２１】
図７は、発語記録テーブルのデータ構造およびデータ例を示す概略図である。この発語記録テーブルは、日付、利用者ＩＤ、発語ＩＤ、高揚ＩＤ、発現ＩＤ、シーン、行動フレーム、発語段階（追記）、行動表現（追記）、発語内容、の各データ項目を有する。
この発語記録テーブルのデータは、利用者の操作に基づき、入力受付部３３（図２）が受け付けた内容に応じてデータベース書込部４１（図２）が書き込むものである。
【００２２】
段階のデータ項目が取り得る値は、「入門編・単純発語」、「入門編・高揚発語」、「入門編・発現発語」、「上級編」のいずれかである。
発語記録テーブルの発語ＩＤは、前述の発語ＩＤテーブルの発語ＩＤと関連付けられている。発語記録テーブルの高揚ＩＤは、前述の高揚ＩＤテーブルの高揚ＩＤと関連付けられている。発語記録テーブルの発現ＩＤは、前述の発現ＩＤテーブルの発現ＩＤと関連付けられている。
シーンのデータ項目は、利用者の生活シーンを表わすデータであり、例えば、「目覚め」、「天気」、「ベッドメイキング」、「着替え」などの値をとる。
行動フレームのデータ項目は、利用者が行動するフレーム（時間枠）を表わすデータであり、「起床」、「朝」、「午前」、「午後」、「夜」、「就寝・その他」の値をとる。この行動フレームは時間枠であるので、入力受付部３３（図２）が受け付けた内容に応じてデータベース書込部４１（図２）が発語記録テーブルに書き込むデータが書き込む際に、データベース書込み部４１が、発語支援装置のコンピュータシステムが有するクロックから現在時刻を取得し、その時刻に応じて適切な値を選択して行動フレームのデータの書き込みを行なう。
【００２３】
図７に示すデータ例の最初の行は、日付「２００７／０５／０５」に、利用者ＩＤ「Ｆ０１０」を有する利用者が、段階「入門編・単純発語」、発語ＩＤ「１」、高揚ＩＤ「１」、発現ＩＤ「２」、シーン「目覚め」、行動フレーム「起床」において発語を行なったことを表わすデータである。なお、段階が「入門編・単純発語」の場合には、後述するように、利用者が発語段階（追記）や行動発現（追記）や発語内容のデータを入力しないようにユーザインタフェースが制御されるため、これら発語段階（追記）、行動発現（追記）、発語内容の項目の値は「（ｎｕｌｌ）」となっている。また、図７に示すデータ例の３行目のデータは、日付「２００７／０５／０５」に、利用者ＩＤ「Ｆ０２１」を有する利用者が、段階「上級編」、発語ＩＤ「１」、高揚ＩＤ「１」、発現ＩＤ「２」、シーン「目覚め」、行動フレーム「起床」において発語を行なったことを表わすデータであり、発語内容として「今日も目覚ましで起きました。ありがとうございます。」が記録されている。段階「上級編」の場合には、後述するように、利用者が発語内容を入力するようなユーザインタフェースとなっており、ここで入力された発語内容がこのテーブルに格納されている。なお、発語段階（追記）および行動発現（追記）の各データ項目についても、同様に、利用者が入力する文言が格納される。
【００２４】
図８は、本実施形態の発語支援装置が、ユーザインタフェースをいかに制御するかを示すテーブルである。なお、ユーザインタフェースの実現方法としては、このテーブルをハードディスク装置などに格納しておきプログラムがこのテーブルを読み出してユーザインタフェースを制御するようにしてもよいし、このテーブルに相当するロジックをプログラム中にハードコーディングする（つまり、ソースプログラムの中に埋め込む）ようにしても良い。
【００２５】
図８に示すように、段階が「入門編・単純発語」の場合には、利用者が発語ＩＤと発現ＩＤをユーザインタフェースのプルダウンメニューから選択し、生活シーンの中から選択したチェックボックスを利用者がチェックし、高揚ＩＤは本装置によって自動選択される。
【００２６】
また、段階が「入門編・高揚発語」の場合には、発語ＩＤと発現ＩＤについては利用者がユーザインタフェースのプルダウンメニューから選択するとともに、選択された発語ＩＤに対応する発語段階あるいは選択された発現ＩＤに対応する行動発現を追記できるようにする。追記された内容は前記の発語記録テーブルに記録される。生活シーンについては、利用者が選択したチェックボックスをチェックするとともに発語内容を記入できるようにする。ここで記入された発語内容は、前記の発語記録テーブルの「発語内容」の項目に記録される。また、高揚ＩＤは本装置によって自動選択される。
また、段階が「入門編・発現発語」の場合および「上級編（ライフマネジメントプラン）」の場合は、「入門編・高揚発語」の場合と同様のユーザインタフェースの制御となる。
なお、図８に示したユーザインタフェース制御は一例であり、適宜変更しても良い。また、ここで述べた高揚ＩＤの自動選択のしくみについては、後述する。
【００２７】
次に、発語支援装置のユーザインタフェース（画面表示等）に沿って、実際の動作の流れを説明していく。
図９は、本実施形態による発語支援装置の画面表示例であり、入門編の初期メニューの画面を示す概略図である。この画面は、プロフィール登録ボタン９１、終了ボタン９２、上級編移行ボタン９３、単純発語段階選択ボタン９４、高揚発語段階選択ボタン９５、発現発語段階選択ボタン９６を含んで構成されている。各ボタンは、例えば、利用者がマウスなどのポインティングデバイスを操作することにより選択可能となっている。
【００２８】
プロフィール登録画面ボタン９１が選択された場合には、本装置の制御により、プロフィール登録画面（図示せず）に移行し、そこで利用者は、利用者のプロフィールの登録及び変更を行なえる。プロフィール登録画面で登録された内容は、入力受付部３３（図２）およびデータベース書込部４１（図２）の動作により、前述の利用者プロフィールテーブルに反映される。
終了ボタン９２が選択された場合には、本装置は動作を終了する。
上級編移行ボタン９３が選択された場合には、本装置の制御により、後述の上級編メニュー画面に移行する。
【００２９】
単純発語段階選択ボタン９４、高揚発語段階選択ボタン９５、発現発語段階選択ボタン９６のいずれかが選択された場合には、本装置の制御により、それぞれ、後述する単純発語段階画面、高揚発語段階画面、発現発語段階画面に移行する。
【００３０】
＜入門編・単純発語段階＞
図１０は、入門編の単純発語段階画面を示す概略図である。発語ガイド部３２（図２）が制御することによりユーザインタフェース部３１（図２）がこの画面を表示する。この単純発語段階画面は、起床ボタン１０１、朝ボタン１０２、午前ボタン１０３、午後ボタン１０４、夜ボタン１０５、就寝・その他ボタン１０６の６個のボタンを含んで構成される。これらのボタンも利用者の操作により選択可能となっている。これらのボタン（１０１〜１０６）のいずれかが選択されると、発語ガイド部３２（図２）の制御により、発語ガイド画面に移行する。
なお、これらのボタン（１０１〜１０６）のいずれが選択されるかに応じて、発語記録テーブルにデータが書き込まれる際の行動フレームの項目の値が定まる。
【００３１】
図１１は、発語ガイド画面の例を示す概略図である。発語ガイド部３２（図２）が制御することによりユーザインタフェース部３１（図２）がこの画面を表示する。図１１に示す画面例は、単純発語段階のものであるため、画面内に「単純発語」という語が表示されている。また、同画面は、行動フレームとして午前ボタン１０３（図１０）が選択された場合のものであるため、画面内に「午前」という語が表示されている。
【００３２】
同画面において、利用者がプルダウンメニューから発語ＩＤを選択できるようになっている。図示する例では、発語ＩＤ「１」が選択されており、これに対応する発語段階の文言が表示されている。
また、同画面において、高揚ＩＤ（思考の高揚ＩＤ）が発語ガイド部３２（図２）により自動的に選択され、図示する例では、高揚ＩＤ「３」とこれに対応する思考の高揚の文言（「３  照れくさいのですが・・・」）が表示されている。
また、同画面において、利用者がプルダウンメニューから発現ＩＤを選択できるようになっている。図示する例では、発現ＩＤ「１」が選択されており、これに対応する行動発現の文言が表示されている。また、選択された発現ＩＤに対応する７育・対話が表示される。発現ＩＤ「１」に対応する７育・対話は「美育」である（図６参照）ので、「美育」と表示されている。
【００３３】
また、同画面において、７個のチェックボックスが表示されており、それぞれのチェックボックスに、「近隣の人に会う」、「友達に会う」、「育児」、「今日の用事」、「今日一日の行動」、「掃除・片付け」、「運動」のラベルが付されている。これらは発語記録テーブルにおけるデータ項目「シーン」と対応している。例えば、利用者が「今日の用事」のチェックボックスにチェックした場合、発語記録テーブルには、シーンの値として「今日の用事」を有する行のデータが追加される。なお、これらのシーンは、前記の行動フレームによって決まる。行動フレームが「午前」の場合には、上記の７つのシーンに対応するチェックボックスが表示される。別の行動フレームの例として、行動フレームが「起床」の場合には、「目覚め」、「天気」、「ベッドメイキング」、「着替え」、「トイレ」、「洗顔」、「歯磨き」の各シーンに対応したチェックボックスが表示される。
【００３４】
発語ガイド部３２の制御によりこの発語ガイド画面が表示されると、利用者は、このガイドに従って発語を行ない、発語を行なったシーンに応じてチェックボックスをチェックする。これにより、発語支援装置は、発語記録テーブルに発語記録のデータを蓄積する。単純発語を繰り返すことにより、利用者の脳が活性化され、これが心（心脳）のトレーニングとなる。つまり、発語ガイド部３２の動作によって利用者のトレーニングが促進されるとともに、発語記録テーブルに発語記録のデータがその利用者のトレーニング状況を反映したものとなる。
【００３５】
＜入門編・高揚発語段階＞
図１２は、入門編の高揚発語段階画面を示す概略図である。発語ガイド部３２（図２）が制御することによりユーザインタフェース部３１（図２）がこの画面を表示する。この高揚発語段階画面は、起床ボタン１２１、朝ボタン１２２、午前ボタン１２３、午後ボタン１２４、夜ボタン１２５、就寝・その他ボタン１２６の６個のボタンを含んで構成される。これらのボタンも利用者の操作により選択可能となっている。これらのボタン（１２１〜１２６）のいずれかが選択されると、発語ガイド部３２（図２）の制御により、発語ガイド画面に移行する。なお、これらのボタン（１２１〜１２６）のいずれが選択されるかに応じて、発語記録テーブルにデータが書き込まれる際の行動フレームの項目の値が定まる。
【００３６】
図１３は、発語ガイド画面の例を示す概略図である。発語ガイド部３２（図２）が制御することによりユーザインタフェース部３１（図２）がこの画面を表示する。図１３に示す画面例は、高揚発語段階のものであるため、画面内に「高揚発語」という語が表示されている。また、同画面は、行動フレームとして起床ボタン１２１（図１２）が選択された場合のものであるため、画面内に「起床」という語が表示されている。
【００３７】
図１３の発語ガイド画面は、図１１の発語ガイド画面と共通の要素を持っている一方で、高揚発語段階特有のユーザインタフェースも持っている。図１１の発語ガイド画面と比較したときの、図１３の発語ガイド画面の特徴は次の通りである。即ち、図１３の発語ガイド画面においては、ユーザが発語段階を追記することが可能となっている。利用者によって発語段階の欄に追記された内容は、入力受付部３３（図２）が受け付け、データベース書込部４１（図２）がデータベース４２の発語記録テーブルの「発語段階（追記）」の欄に書き込む。また、図１３の発語ガイド画面においては、ユーザが行動発現を追記することが可能となっている。利用者によって行動発現の欄に追記された内容は、入力受付部３３（図２）が受け付け、データベース書込部４１（図２）がデータベース４２の発語記録テーブルの「行動発現（追記）」の欄に書き込む。また、図１３の発語ガイド画面においては、各シーン（「目覚め」、「天気」、等）に対応したチェックボックスが表示されているとともに、各シーンに対応した発語記録欄も表示されている。例えば、シーン「目覚め」に対応した発語記録欄には、利用者によって「今日も目覚ましで起きました。ありがとうございます。」という文言が入力されている。利用者によってこの欄に入力された内容は、入力受付部３３（図２）が受け付け、データベース書込部４１（図２）がデータベース４２の発語記録テーブルの「発語内容」の欄に書き込む。
【００３８】
単純発語段階の発語ガイド画面と同様に、利用者は、このガイドに従って発語を行なう。この高揚発語段階では、単純発語段階における場合よりも利用者の意識が高揚しているため、その利用者の具体的な状況に応じた発語段階を追記したり、行動発現を追記したり、発語内容を記録したりすることにより、より一層トレーニングの効果が高まるとともに、その具体的な記録を保存・蓄積することができるようになる。
【００３９】
＜入門編・発現発語段階＞
図１４は、入門編の発現発語段階画面を示す概略図である。発語ガイド部３２（図２）が制御することによりユーザインタフェース部３１（図２）がこの画面を表示する。この発現発語段階画面は、起床ボタン１４１、朝ボタン１４２、午前ボタン１４３、午後ボタン１４４、夜ボタン１４５、就寝・その他ボタン１４６の６個のボタンを含んで構成される。これらのボタンも利用者の操作により選択可能となっている。これらのボタン（１４１〜１４６）のいずれかが選択されると、発語ガイド部３２（図２）の制御により、発語ガイド画面に移行する。なお、これらのボタン（１４１〜１４６）のいずれが選択されるかに応じて、発語記録テーブルにデータが書き込まれる際の行動フレームの項目の値が定まる。
なお、発現発語段階の発語ガイド画面の構成と発語ガイド部３２等の動作は、高揚発語段階におけるそれらと同様であるので、説明を省略する。発現発語段階においては、トレーニングの成果として利用者の意識がさらに向上し、それが行動に発現する状況となっている。
【００４０】
＜上級編＞
図１５は、発語支援装置の上級編の画面を示す概略図である。この画面は、上級編選択ボタン１５１と、終了ボタン１５２とを含んで構成されている。これらボタンも利用者の操作により選択可能となっている。上級編選択ボタン１５１が選択された場合には、後述する上級編メニュー画面へ移行する。終了ボタン１５２が選択された場合には、本装置は動作を終了する。
【００４１】
図１６は、発語支援装置の上級編メニュー画面を示す概略図である。
この上級編メニュー画面は、起床ボタン１６１、朝ボタン１６２、午前ボタン１６３、午後ボタン１６４、夜ボタン１６５、就寝・その他ボタン１６６の６個のボタンを含んで構成される。これらのボタン（１６１〜１６６）のいずれかが選択されると、発語ガイド部３２（図２）の制御により、上級編の発語ガイド画面に移行する。なお、これらのボタン（１６１〜１６６）のいずれが選択されるかに応じて、発語記録テーブルにデータが書き込まれる際の行動フレームの項目の値が定まる。
【００４２】
また、この上級編メニュー画面は、さらに、検索・管理ボタン１６７、分析実行ボタン１６８、リフィル手帳ボタン１６９を含むように構成されている。
【００４３】
検索・管理ボタン１６７が利用者によって選択された場合には、当該利用者の過去の発語記録を検索したり管理したりする機能が起動される。上級編の利用者は、その機能を用いてデータを参照することにより、様々な詳細な分析を行なうことができる。
【００４４】
分析実行ボタン１６８が選択された場合には、分析部３４（図２）が起動される。分析部３４は、利用者の操作に応じて、データベース４２の発語記録テーブルを読み出し、その結果に基づく分析表を作成する。この分析表の一例は、ピボットテーブルであり、当該利用者の、段階別、発語ＩＤ別、高揚ＩＤ別、発現ＩＤ別、行動フレーム別、シーン別（ここでは、これらを便宜上「軸」と呼ぶ）などの発語記録回数を表わすものである。また、これらすべての軸での分析に限らず、一部の軸でのピボットテーブルを作成するように設定することも可能となっている。さらには、分析部３４は、各軸における発語記録回数の時系列的な増減や比率の動向等も分析する。
【００４５】
リフィル手帳ボタン１６９が選択された場合には、リフィル作成部３５（図２）が起動される。リフィル作成部３５は、利用者の操作に応じて、データベース４２の発語記録テーブルを読み出し、その結果をリフィル手帳の形式に整形して画面に表示する。また、リフィル作成部３５は、利用者の操作に応じて、その整形された結果を印刷出力する。つまり、リフィル作成部３５は、発語記録テーブルに書き込まれた情報を手帳リフィル形式に整形して出力する。このように印刷されたリフィルを、利用者はバインダー式の手帳に綴じて持ち歩くことができるようになる。
【００４６】
図１７は、上級編の発語ガイド画面の例を示す概略図である。発語ガイド部３２（図２）が制御することによりユーザインタフェース部３１（図２）がこの画面を表示する。図１７に示す画面例は、上級編のものであるため、画面内にリフィル手帳ボタン１７１を有している。このリフィル手帳ボタン１７１が選択されると、リフィル作成部３５（図２）が起動される。この場合も、リフィル作成部３５は前述の機能と同様の機能を実行する。また、同画面は、行動フレームとして起床ボタン１６１（図１６）が選択された場合のものであるため、画面内に「起床」という語が表示されている。
【００４７】
なお、上級編の発語ガイド画面のその他の構成と発語ガイド部３２等の動作は、入門編・高揚発語段階や入門編・発現発語段階におけるそれらと同様であるので、説明を省略する。
【００４８】
図１８は、前述のリフィル作成部３５が、発語記録テーブルの内容を、リフィル手帳の形式に整形した結果を画面に表示した例（リフィル手帳画面）を示す概略図である。図示するように、このリフィル手帳画面には、利用者ＩＤ「Ｆ０００」や、発語ＩＤ「１」や、発現ＩＤ「２」や、高揚ＩＤ「１」や、今日（この画面が表示された日）の日付や、各シーンにおけるチェックボックスや、各シーンにおける発語記録が表示されている。
【００４９】
なお、各段階の発語ガイド画面において、高揚ＩＤは、発語ガイド部３２によって自動的に選択されて、その高揚ＩＤおよび対応する高揚状態（「思考の高揚」）が表示されているが、この高揚ＩＤの自動選択のしくみは次の通りである。発語ガイド部３２は、発語ガイド画面を表示する際に、データベースの発語記録テーブルから、現利用者の発語記録のデータを読み出す。そして、読み出したデータに基づいて、高揚ＩＤを決定する。一例としては、発語ガイド部は、現在の段階（例えば、「入門編・発現発語」）において、選択された発語ＩＤかつ選択された発現ＩＤにおける発現回数をカウントし、この回数が予め定められた所定の閾値を超えているか否かに応じて、高揚ＩＤを適宜選択する。
【００５０】
また、さらに、発語ガイド部３２が、これらの発語記録における行動フレームやシーンの項目を参照し、行動フレームのカバー率（発語記録の存在する行動フレームの種類数を、全ての行動フレームの種類数で除したもの）あるいはシーンのカバー率（発語記録の存在するシーンの種類数を、全てのシーンの種類数で除したもの）を算出し、これら行動フレームカバー率および／またはシーンのカバー率が所定の閾値を超えているか否かに応じて高揚ＩＤを適宜選択するようにしても良い。
また、発語ガイド部３２が、さらに、発現ＩＤのカバー率を算出しそのカバー率が所定の閾値を超えているか否かに応じて高揚ＩＤを自動的に選択するようにしても良い。
また、発語ガイド部３２が、発語記録テーブルから読み出したデータに基づき、発語回数をカウントするとともに、発現ＩＤのカバー率を算出し、この発語回数と発現ＩＤカバー率に基づく所定の演算を行ない、その演算結果に基づいて高揚ＩＤを自動的に選択するようにしても良い。
【００５１】
つまり、発語ガイド部３２は、発語記録テーブルに既に書き込まれている発語記録情報を読み出して、読み出した発語記録情報に基づいて高揚ＩＤを選択して画面に表示する。そして、発語データベース書込部４１は、発語記録情報を、発語ガイド部３２によって選択された高揚ＩＤと関連付けて発語記録テーブルに書き込む。このような高揚ＩＤの自動選択のしくみにより、利用者の手間を減らすことができるとともに、適切な高揚ＩＤを用いることができるようになる。
【００５２】
＜第２の実施形態＞
次に、本発明の第２の実施形態について説明する。なお、本実施形態の構成の概略は図１および図２に示したものと同様であるため、ここでは構成の説明を省略し、図２に示した符号を参照して説明する。
第１の実施形態においては、利用者が、画面から、段階、発語ＩＤ、発現ＩＤを選択し、これら選択されたものに応じて発語ガイド部が発語ガイド画面を表示するとともに、これら選択されたＩＤ等に関連付けて、データベース書込部４１が発語記録の情報を発語記録テーブルに書き込むようにしていたが、本実施形態においては、段階、発語ＩＤ、発現ＩＤ、および生活シーンを、発語支援装置が自動的に選択して利用者に提示する。これを「自動支援モード」と呼ぶ。
【００５３】
この自動選択のしくみは次の通りである。つまり、発語ガイド部３２が、発語記録テーブルからデータを読み出す。そして、発語ＩＤごと且つ発現ＩＤごとの発語回数をカウントし、それらの発語回数が所定の閾値を超えているか否かに応じて、予め定められた対応テーブルを参照することにより、発語ＩＤと発現ＩＤを選択する。また、それに応じて、上の段階に（例えば、単純発語段階から高揚発語段階へ）進むか否かを自動的に決定する。
また、発語ガイド部３２は、第１の実施形態に記載したのと同様の方法で高揚ＩＤを自動的に選択する。
また、発語ガイド部３２が、発語記録テーブルからデータを読み出し、そのデータに記録されている行動フレームとコンピュータシステムが有するクロックから取得した現在時刻とに基づいて、現時刻の行動フレームに対応する適切な高揚ＩＤを自動的に選択するようにしても良い。
【００５４】
なお、この自動支援モードでは発語ガイド部３２が発語ＩＤや高揚ＩＤや発現ＩＤを自動的に選択しているが、ユーザインタフェース部３１は、利用者が発語ＩＤを追記したり、利用者が発現ＩＤを手動選択したり追記したりすることができるような利用者インタフェースを提供する。
このような自動選択のしくみにより、利用者の手間を減らすことができるとともに、より一層適切な段階、発語ＩＤ、発現ＩＤを用いて、この発語支援装置を利用できるようになる。
【００５５】
また、さらに次のような実施形態としても良い。
例えば、発語ガイド部３２が、利用者により再選択された発現ＩＤ（図６に示したように、発現ＩＤは「７育」に対応している）に基づき、適切な高揚ＩＤを自動的に選択するようにしてもよい。
また例えば、発語ガイド部３２が、利用者により再選択された行動フレームに基づき、適切な高揚ＩＤを自動的に選択するようにしてもよい。
また例えば、行動フレームと発現ＩＤ（７育）の重点度（この重点度は予め定義さ、記憶装置に記憶されている）に基づき、適切な高揚ＩＤを自動的に選択するようにしてもよい。
また例えば、分析部３４が分析した結果得られる発語分析結果に基づき、発語ガイド部３２が適切な高揚ＩＤを自動的に選択するようにしてもよい。
また例えば、発語ガイド部３２が表示を行なう際に、段階（発語段階、高揚段階、発現段階）に応じた音楽を再生するとともに、段階に応じたカラーを画面に表示するようにしてもよい。発語ガイド部３２は、音楽に関しては、段階に応じて、再生するテンポや音の高さを変える。またカラーに関しては、段階に応じて、赤・緑・青の３原色を混合する比率を変える。
また例えば、発語ガイド部３２が、コンピュータシステムが有するクロックから現在日付および現在時刻を取得し、この日付および時刻に基づく、適切な行動フレームを適宜選択して、選択された行動フレームに基づいた表示を行なうようにしても良い。また、発語ガイド部３２が発語ガイド画面を常時表示しておき、所定の時間間隔でコンピュータシステムが有するクロックから現在日付および現在時刻を取得し、この日付および時刻に基づく、適切な行動フレームを適宜選択して、選択された行動フレームに基づいて表示を書き換えるようにしても良い。このようにすることで、発語ガイド画面が常時表示されている状態においても、日付や時刻の変化に応じて自動的に画面を書き換えることができるようになる。
【００５６】
このような発語支援装置を利用者が利用することにより、行動フレームごとおよび発現ＩＤ（７育）ごとに利用者が単純発語を繰り返すにつれて、高揚ＩＤが増加し、発語支援装置は利用者に適した発語ＩＤ、発現ＩＤを選択して表示する。利用者が、一日の行動フレームごとに単純発語を繰り返すことで、利用者自身の環境を再認識し、更なる単純発語の繰り返しで思考が高揚し、その結果、現状分析の発語へと変わっていき、利用者自身の現状行動の認知をより的確にできるようになり、利用者のコミュニケーション能力が向上する。同様に、この発語支援装置を利用したトレーニングを行なうことにより、利用者の発語が３Ｖ（ビジョン、ベンチャー、ビクトリー）へ発展していく。これにより利用者自身が目標設定をできるようになり、より上位の発語行動を行なうことができるようになる。
【００５７】
コンピュータの技術を用いて上述した各実施形態の発語支援装置を実現する場合、説明した各部の機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５８】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５９】
【図１】本発明の実施形態による発語支援装置のハードウェア構成を示したブロック図である。
【図２】同実施形態による発語支援装置の機能構成を示したブロック図である。
【図３】同実施形態におけるデータベース内の利用者プロファイルテーブルのデータ構造およびデータ例を示す概略図である。
【図４】同実施形態におけるデータベース内の発語ＩＤテーブルのデータ構造およびデータ例を示す概略図である。
【図５】同実施形態におけるデータベース内の高揚ＩＤテーブルのデータ構造およびデータ例を示す概略図である。
【図６】同実施形態におけるデータベース内の発現ＩＤテーブルのデータ構造およびデータ例を示す概略図である。
【図７】同実施形態におけるデータベース内の発語記録テーブルのデータ構造およびデータ例を示す概略図である。
【図８】同実施形態による発語支援装置において、同装置が各段階でユーザインタフェースを制御するパターンを示したテーブルである。
【図９】同実施形態による発語支援装置のユーザインタフェースであり、入門編の初期メニューの画面表示例を示す概略図である。
【図１０】同実施形態による発語支援装置のユーザインタフェースであり、入門編の単純発語段階の画面表示例を示す概略図である。
【図１１】同実施形態による発語支援装置のユーザインタフェースであり、入門編の単純発語段階の発語ガイド画面の表示例を示す概略図である。
【図１２】同実施形態による発語支援装置のユーザインタフェースであり、入門編の高揚発語段階の画面表示例を示す概略図である。
【図１３】同実施形態による発語支援装置のユーザインタフェースであり、入門編の高揚発語段階の発語ガイド画面の表示例を示す概略図である。
【図１４】同実施形態による発語支援装置のユーザインタフェースであり、入門編の発現発語段階の画面表示例を示す概略図である。
【図１５】同実施形態による発語支援装置のユーザインタフェースであり、上級編の画面表示例を示す概略図である。
【図１６】同実施形態による発語支援装置のユーザインタフェースであり、上級編のメニュー画面表示例を示す概略図である。
【図１７】同実施形態による発語支援装置のユーザインタフェースであり、上級編の発語ガイド画面の表示例を示す概略図である。
【図１８】同実施形態による発語支援装置のユーザインタフェースであり、発語記録テーブルの内容をリフィル手帳の形式に整形した結果の画面表示例を示す概略図である。
【符号の説明】
【００６０】
１  発語支援装置
１０  バス
１１  ＣＰＵ
１２  ＲＡＭ
１３  ＲＯＭ
１４，１５  入出力制御部
１６  磁気ハードディスク装置
１７  ディスプレイ装置
３１  ユーザインタフェース部
３２  発語ガイド部
３３  入力受付部
３４  分析部
３５  リフィル作成部
４１  データベース書込部（発語記録書込部）
４２  データベース
【図１】
0004489103.tif 000002
【図２】
0004489103.tif 000003
【図３】
0004489103.tif 000004
【図４】
0004489103.tif 000005
【図５】
0004489103.tif 000006
【図６】
0004489103.tif 000007
【図７】
0004489103.tif 000008
【図８】
0004489103.tif 000009
【図９】
0004489103.tif 000010
【図１０】
0004489103.tif 000011
【図１１】
0004489103.tif 000012
【図１２】
0004489103.tif 000013
【図１３】
0004489103.tif 000014
【図１４】
0004489103.tif 000015
【図１５】
0004489103.tif 000016
【図１６】
0004489103.tif 000017
【図１７】
0004489103.tif 000018
【図１８】
0004489103.tif 000019